(57)【要約】【課題】セグメントの変更を伴う無線ＬＡＮ電話端末の移動後の通信におけるＨＡおよびＦＡの処理負荷を軽減でき、ＨＡおよびＦＡとして比較的処理能力の低い安価なものを用いることができる無線ＬＡＮ電話システムを提供する。【解決手段】無線ＬＡＮ電話端末１がホームポジションのセグメントＳ１から他のセグメントＳ２に移動して通信を終了したときは、無線ＬＡＮ電話端末１に新規のＩＰアドレスを割り当て、そのＩＰアドレスの変更をＣＭ６に通知すると共に、ＨＡ７および移動先セグメントＳ２のＦＡ８に対して無線ＬＡＮ電話端末１の登録位置を移動先セグメントＳ２に変更することにより、以後の無線ＬＡＮ電話端末１に対する通信を、通常のＣＭ６による管理のもとにＨＡ７およびＦＡ８によるルーティングを行うことなく実行する。【選択図】        図１
2004180089.tif 000002
【特許請求の範囲】
【請求項１】
音声通信をＶｏＩＰで実現する無線ＬＡＮ電話システムにおいて、
無線ＬＡＮ電話端末が通信中にホームポジションセグメントからネットワークアドレスが異なる他のセグメントに移動したときは、その移動先セグメントのアクセスポイントの情報および当該移動先セグメントに設けられたフォーリンエージェントの情報を、上記ホームポジションセグメントに設けられたホームエージェントに通知して、上記無線ＬＡＮ電話端末宛のデータを上記ホームエージェントから上記フォーリンエージェントを経てルーティングして通信を継続し、
上記無線ＬＡＮ電話端末が通信を終了したときは、当該無線ＬＡＮ電話端末に新規のＩＰアドレスを割り当てて、そのＩＰアドレスの変更をコールマネージャに通知すると共に、上記ホームエージェントおよび上記フォーリンエージェントに対して上記無線ＬＡＮ電話端末の登録位置を上記移動先セグメントに変更することにより、上記無線ＬＡＮ電話端末に対する以後の通信を上記ホームエージェントおよび上記フォーリンエージェントによるルーティングを行うことなく実行するようにしたことを特徴とする無線ＬＡＮ電話システム。
【発明の詳細な説明】
【０００１】
【発明の属する技術分野】
本発明は、音声通信をＶｏＩＰで実現する無線ＬＡＮ電話システムに関するものである。
【０００２】
【従来の技術】
この種の従来の無線ＬＡＮ電話システムとして、例えば図２に示すように、無線ＬＡＮ電話端末１のアクセスポイント（以下、ＡＰとも言う）２を有するネットワークアドレスの異なる複数のセグメント（図２では、２つのセグメントＳ１，Ｓ２）をルータ３で結合すると共に、システム内の任意のセグメントに、ＩＰ電話機４、ＤＨＣＰサーバ５およびコールマネージャ（以下、ＣＭとも言う）６を収容したものが知られている。
【０００３】
かかる無線ＬＡＮ電話システムにおいて、無線ＬＡＮ電話端末１は、その設置時にホームポジションとなるセグメント（例えば、Ｓ１）のＡＰ２に初期登録を行い、ＤＨＣＰサーバ５にてＩＰアドレスを取得後、ＣＭ６に登録を行うことで、同一セグメントＳ１内であれば、初期登録をしたＡＰ２から他のＡＰ２に移動しても、ＩＰアドレスを変更することなく、例えば他のセグメントＳ２のＩＰ電話機４からの着信に対して通常の接続により通信（通話）を行うことができる。
【０００４】
ところが、図２に示す従来の無線ＬＡＮ電話システムにあっては、無線ＬＡＮ電話端末１が、ネットワークアドレスの異なる他のセグメントＳ２のＡＰ２の配下に移動すると、当初通信していた相手には、こちらの無線ＬＡＮ電話端末１が他のセグメントＳ２の配下に移動したことを通知できないため、通話を継続することができなくなると言う問題がある。
【０００５】
このような問題を解決するものとして、最近「Ｍｏｂｉｌｅ  ＩＰ」技術を採用する無線ＬＡＮ電話システムが提案されている。この無線ＬＡＮ電話システムでは、図３に示すように、セグメントＳ１，Ｓ２にそれぞれエージェント７，８を付加し、無線ＬＡＮ電話端末１に対して、ホームポジションのセグメントＳ１のエージェント７はホームエージェント（以下、ＨＡとも言う）として機能させ、他のセグメントＳ２のエージェント８はフォーリンエージェント（以下、ＦＡとも言う）として機能させて、無線ＬＡＮ電話端末１が通話中に他のセグメントＳ２に移動した場合には、接続ＡＰが変わったことを契機に自分がホームポジション内のＡＰ配下か否かを判断し、ホームポジション外の場合には変更後のＡＰの情報とそのＡＰ配下のＦＡ８の情報とをホームポジションのＨＡ７に通知し、変更前にいたセグメントＳ１宛に送信されるデータを、ＨＡ７からＦＡ８を経て無線ＬＡＮ電話端末１へとルーティングを行うことにより、ＩＰアドレスを変更することなく、通信を継続するようにしている（例えば、非特許文献１、特許文献１参照）。
【０００６】
【非特許文献１】
ＩＥＴＦ  ＲＦＣ３２２０（ＩＰ  Ｍｏｂｉｌｉｔｙ  Ｓｕｐｐｏｒｔ  Ｉｐｖ４  ｒｅｖｉｓｅｄ）
【特許文献１】
特開２０００−２３０６８号公報
【０００７】
【発明が解決しようとする課題】
しかしながら、図３に示した従来の無線ＬＡＮ電話システムにあっては、当初登録したホームポジションのセグメントＳ１配下以外で無線ＬＡＮ電話端末１を使用する場合、ＨＡ７およびＦＡ８は、他セグメントＳ２に移動した無線ＬＡＮ電話端末１に対して常にデータのルーティングを行う必要があるため、移動端末が多いと処理負荷が集中し、ＨＡ７およびＦＡ８として処理能力の高い高価なものが必要になると言う問題がある。
【０００８】
かかる点に鑑みてなされた本発明の目的は、セグメントの変更を伴う無線ＬＡＮ電話端末の移動後の通信におけるＨＡおよびＦＡの処理負荷を軽減でき、したがってＨＡおよびＦＡとして比較的処理能力の低い安価なものを用いることができる無線ＬＡＮ電話システムを提供することにある。
【０００９】
【課題を解決するための手段】
上記目的を達成する請求項１に係る発明は、音声通信をＶｏＩＰで実現する無線ＬＡＮ電話システムにおいて、
無線ＬＡＮ電話端末が通信中にホームポジションセグメントからネットワークアドレスが異なる他のセグメントに移動したときは、その移動先セグメントのアクセスポイントの情報および当該移動先セグメントに設けられたフォーリンエージェントの情報を、上記ホームポジションセグメントに設けられたホームエージェントに通知して、上記無線ＬＡＮ電話端末宛のデータを上記ホームエージェントから上記フォーリンエージェントを経てルーティングして通信を継続し、
上記無線ＬＡＮ電話端末が通信を終了したときは、当該無線ＬＡＮ電話端末に新規のＩＰアドレスを割り当てて、そのＩＰアドレスの変更をコールマネージャに通知すると共に、上記ホームエージェントおよび上記フォーリンエージェントに対して上記無線ＬＡＮ電話端末の登録位置を上記移動先セグメントに変更することにより、上記無線ＬＡＮ電話端末に対する以後の通信を上記ホームエージェントおよび上記フォーリンエージェントによるルーティングを行うことなく実行するようにしたことを特徴とするものである。
【００１０】
【発明の実施の形態】
以下、本発明による無線ＬＡＮ電話システムの一実施の形態について、図面を参照して説明する。
【００１１】
図１は、本発明の一実施の形態における無線ＬＡＮ電話システムの概略構成を示す図である。図１に示す無線ＬＡＮ電話システムの構成は、基本的には図３と同様であるので、図３と同一要素には同一参照符号を付してその詳細な説明は省略する。
【００１２】
本実施の形態では、無線ＬＡＮ電話端末１が通信中にホームポジションのセグメントＳ１からネットワークアドレスが異なる他のセグメントＳ２に移動したときは、上述した「Ｍｏｂｉｌｅ  ＩＰ」技術を利用して、図３において説明したと動揺に、その移動先セグメントＳ２のＡＰ２の情報および移動先セグメントＳ２に設けられたＦＡ８の情報を、ホームポジションのセグメントＳ１に設けられたＨＡ７に通知して、無線ＬＡＮ電話端末１宛のデータをＨＡ７からＦＡ８を経てルーティングすることにより、ＩＰアドレスを変更することなく通信を継続する。
【００１３】
その後、無線ＬＡＮ電話端末１が通信を終了したときは、ＤＨＣＰサーバ５により無線ＬＡＮ電話端末１に新規のＩＰアドレスを割り当て、そのＩＰアドレスの変更をＣＭ６に通知すると共に、ＨＡ７およびＦＡ８に対して無線ＬＡＮ電話端末１の登録位置を移動先セグメントＳ２に変更する。これにより、以後の無線ＬＡＮ電話端末１に対する通信は、通常のＣＭ６による管理のもとに、ＨＡ７およびＦＡ８によるルーティングを行うことなく実行する。
【００１４】
無線ＬＡＮ電話端末１が、再度、セグメント間を移動したときは、上記の手順を繰り返して移動中の通信の継続および移動後の通信を実行する。
【００１５】
なお、上記実施の形態では、２つのセグメントＳ１，Ｓ２を有する無線ＬＡＮ電話システムとしたが、本発明は３つ以上のセグメントを有する無線ＬＡＮ電話システムにも有効に適用することができる。
【００１６】
【発明の効果】
以上のように、本発明によれば、無線ＬＡＮ電話端末がホームポジションのセグメントから他のセグメントに移動して通信を終了したときは、無線ＬＡＮ電話端末に新規のＩＰアドレスを割り当て、そのＩＰアドレスの変更をコールマネージャに通知すると共に、ホームエージェントおよび移動先セグメントのフォーリンエージェントに対して無線ＬＡＮ電話端末の登録位置を移動先セグメントに変更することにより、以後の無線ＬＡＮ電話端末に対する通信を、通常のコールマネージャによる管理のもとにホームエージェントおよびフォーリンエージェントによるルーティングを行うことなく実行するようにしたので、ホームエージェントおよびフォーリンエージェントの処理負荷を軽減することができる。したがって、ホームエージェントおよびフォーリンエージェントとして比較的処理能力の低い安価なものを用いることができるので、無線ＬＡＮ電話システムを低コストで構築することができる。
【図面の簡単な説明】
【図１】本発明の一実施の形態における無線ＬＡＮ電話システムの概略構成を示す図である。
【図２】従来の無線ＬＡＮ電話システムの概略構成を示す図である。
【図３】同じく、従来の無線ＬＡＮ電話システムの概略構成を示す図である。
【符号の説明】
１  無線ＬＡＮ電話端末
２  アクセスポイント（ＡＰ）
３  ルータ
４  ＩＰ電話機
５  ＤＨＣＰサーバ
６  コールマネージャ（ＣＭ）
７  ホームエージェント（ＨＡ）
８  フォーリンエージェント（ＦＡ）
Ｓ１，Ｓ２  セグメント
【図１】
2004180089.tif 000003
【図２】
2004180089.tif 000004
【図３】
2004180089.tif 000005